(57)【要約】【課題】複数の光伝送路を有効活用することによってユーザの利便性を向上することが可能な局回線終端装置を得る。【解決手段】ＯＬＴ３は、光伝送路を介してＯＮＵ５１に接続される局回線終端装置であって、光ファイバ８１を介してＯＮＵ５１に接続される光送受信部１Ａと、光ファイバ８４を介してＯＮＵ５１に接続される光送受信部１Ｂと、ＯＬＴ３とＯＮＵ５１との間の通信を、光送受信部１Ａ及び光ファイバ８１を用いた通信である第１の通信と、光送受信部１Ｂ及び光ファイバ８４を用いた通信である第２の通信とに振り分ける制御部９と、を備える。【選択図】図２
2012165322.tif 000002
【特許請求の範囲】
【請求項１】
光伝送路を介して回線終端装置に接続される局回線終端装置であって、
第１の光伝送路を介して前記回線終端装置に接続される第１の光送受信部と、
第２の光伝送路を介して前記回線終端装置に接続される第２の光送受信部と、
前記局回線終端装置と前記回線終端装置との間の通信を、前記第１の光送受信部及び前記第１の光伝送路を用いた通信である第１の通信と、前記第２の光送受信部及び前記第２の光伝送路を用いた通信である第２の通信とに振り分ける制御部と、
を備える、局回線終端装置。
【請求項２】
前記制御部は、前記局回線終端装置と前記回線終端装置との間の通信における通信状況に基づいて、前記第１の通信と前記第２の通信との振り分けを制御する、請求項１に記載の局回線終端装置。
【請求項３】
前記制御部は、前記局回線終端装置と前記回線終端装置との通信における、エラーレート、レイテンシ、通信データ量、及びプロトコルの少なくとも一つに基づいて、前記第１の通信と前記第２の通信との振り分けを制御する、請求項２に記載の局回線終端装置。
【請求項４】
前記第１の光送受信部、前記第２の光送受信部、及び前記制御部をそれぞれ有する第１の加入者回線ユニット及び第２の加入者回線ユニットを備え、
前記第１の光伝送路は、前記第１の加入者回線ユニットが有する前記第１の光送受信部に接続されており、
前記第２の光伝送路は、前記第２の加入者回線ユニットが有する前記第２の光送受信部に接続されている、請求項１〜３のいずれか一つに記載の局回線終端装置。
【請求項５】
前記第１の通信及び前記第２の通信の一方で通信異常が発生した場合、前記制御部は、前記第１の通信及び前記第２の通信の他方によって、通信異常の発生を前記回線終端装置に通知する、請求項１〜４のいずれか一つに記載の局回線終端装置。
【請求項６】
前記第１の通信における伝送レートと、前記第２の通信における伝送レートとは互いに異なる、請求項１〜５のいずれか一つに記載の局回線終端装置。
【発明の詳細な説明】
【技術分野】
【０００１】
本発明は、局回線終端装置に関し、特に、ＰＯＮ（Passive Optical Network）を用いた光通信システムにおけるＯＬＴ（Optical Line Terminal）に関する。
【背景技術】
【０００２】
例えば下記特許文献１には、背景技術に係るＰＯＮ二重化システムが開示されている。当該システムにおいては、局側装置と加入者側装置との間を２本の経路で接続し、一方の経路で光ファイバの切断等の障害が発生した場合には、他方の経路に切り替えることにより、局側装置と加入者側装置との間の通信を継続する。
【先行技術文献】
【特許文献】
【０００３】
【特許文献１】特許第４００８３３８号公報
【発明の概要】
【発明が解決しようとする課題】
【０００４】
上記特許文献１に開示されたシステムによると、局側装置と加入者側装置との間を接続する２本の経路のうちの１本の経路は、単なるバックアップ用の経路であり、通常使用されている経路に障害が発生しない限りはバックアップ用の経路は使用されない。従って、追加の光ファイバを住宅内に引き込むといった煩雑な工事が必要となる割には、それによって享受できるメリットが少ないため、費用対効果の観点からユーザが当該システムを導入することはさほど期待できない。
【０００５】
本発明はかかる事情に鑑みて成されたものであり、複数の光伝送路を有効活用することによってユーザの利便性を向上することが可能な局回線終端装置を得ることを目的とするものである。
【課題を解決するための手段】
【０００６】
本発明の第１の態様に係る局回線終端装置は、光伝送路を介して回線終端装置に接続される局回線終端装置であって、第１の光伝送路を介して前記回線終端装置に接続される第１の光送受信部と、第２の光伝送路を介して前記回線終端装置に接続される第２の光送受信部と、前記局回線終端装置と前記回線終端装置との間の通信を、前記第１の光送受信部及び前記第１の光伝送路を用いた通信である第１の通信と、前記第２の光送受信部及び前記第２の光伝送路を用いた通信である第２の通信とに振り分ける制御部と、を備えることを特徴とするものである。
【０００７】
第１の態様に係る局回線終端装置によれば、制御部は、局回線終端装置と回線終端装置との間の通信を、第１の光送受信部及び第１の光伝送路を用いた通信である第１の通信と、第２の光送受信部及び第２の光伝送路を用いた通信である第２の通信とに振り分ける。つまり、第１の光伝送路及び第２の光伝送路は、一方の光伝送路に通信異常が発生した場合の単なるバックアップ用途に使用されるのみならず、局回線終端装置と回線終端装置との間の通信が両者に振り分けられることによって、異常が発生していない正常時においても両者がともに使用される。その結果、負荷分散等によって局回線終端装置と回線終端装置との間の通信を最適な条件で行うことができるため、ユーザの利便性を向上することが可能となる。
【０００８】
本発明の第２の態様に係る局回線終端装置は、第１の態様に係る局回線終端装置において特に、前記制御部は、前記局回線終端装置と前記回線終端装置との間の通信における通信状況に基づいて、前記第１の通信と前記第２の通信との振り分けを制御することを特徴とするものである。
【０００９】
第２の態様に係る局回線終端装置によれば、制御部は、局回線終端装置と回線終端装置との間の通信における通信状況に基づいて、第１の通信と第２の通信との振り分けを制御する。従って、局回線終端装置と回線終端装置との間の通信を、通信状況に応じて最適な条件で行うことが可能となる。
【００１０】
本発明の第３の態様に係る局回線終端装置は、第２の態様に係る局回線終端装置において特に、前記制御部は、前記局回線終端装置と前記回線終端装置との通信における、エラーレート、レイテンシ、通信データ量、及びプロトコルの少なくとも一つに基づいて、前記第１の通信と前記第２の通信との振り分けを制御することを特徴とするものである。
【００１１】
第３の態様に係る局回線終端装置によれば、制御部は、局回線終端装置と回線終端装置との通信における、エラーレート、レイテンシ、通信データ量、及びプロトコルの少なくとも一つに基づいて、第１の通信と第２の通信との振り分けを制御する。従って例えば、第１の通信と第２の通信とでエラーレートが異なる場合には、高い品質が求められる通信をエラーレートの低い通信に振り分け、高い品質が求められない通信をエラーレートの高い通信に振り分けることにより、局回線終端装置と回線終端装置との間の通信を最適な条件で行うことが可能となる。また例えば、第１の通信と第２の通信とでレイテンシが異なる場合には、リアルタイム性が求められる通信をレイテンシの小さい通信に振り分け、リアルタイム性が求められない通信をレイテンシの大きい通信に振り分けることにより、局回線終端装置と回線終端装置との間の通信を最適な条件で行うことが可能となる。また例えば、第１の通信及び第２の通信の一方の通信データ量が極端に大きく、負荷が集中している場合には、負荷の一部を他方に振り分けることにより、局回線終端装置と回線終端装置との間の通信を最適な条件で行うことが可能となる。また例えば、第１の通信と第２の通信とでレイテンシが異なる場合には、ＵＤＰ（User Datagram Protocol）の通信をレイテンシの小さい通信に振り分け、ＴＣＰ（Transmission Control Protocol）の通信をレイテンシの大きい通信に振り分けることにより、局回線終端装置と回線終端装置との間の通信を最適な条件で行うことが可能となる。
【００１２】
本発明の第４の態様に係る局回線終端装置は、第１〜第３のいずれか一つの態様に係る局回線終端装置において特に、前記第１の光送受信部、前記第２の光送受信部、及び前記制御部をそれぞれ有する第１の加入者回線ユニット及び第２の加入者回線ユニットを備え、前記第１の光伝送路は、前記第１の加入者回線ユニットが有する前記第１の光送受信部に接続されており、前記第２の光伝送路は、前記第２の加入者回線ユニットが有する前記第２の光送受信部に接続されていることを特徴とするものである。
【００１３】
第４の態様に係る局回線終端装置によれば、第１の光伝送路は、第１の加入者回線ユニットが有する第１の光送受信部に接続されており、第２の光伝送路は、第２の加入者回線ユニットが有する第２の光送受信部に接続されている。従って、第１の加入者回線ユニットが故障した場合や第１の加入者回線ユニットを交換する場合には、第２の加入者回線ユニットによって局回線終端装置と回線終端装置との通信を継続することができる。また、第２の加入者回線ユニットが故障した場合や第２の加入者回線ユニットを交換する場合には、第１の加入者回線ユニットによって局回線終端装置と回線終端装置との通信を継続することができる。
【００１４】
本発明の第５の態様に係る局回線終端装置は、第１〜第４のいずれか一つの態様に係る局回線終端装置において特に、前記第１の通信及び前記第２の通信の一方で通信異常が発生した場合、前記制御部は、前記第１の通信及び前記第２の通信の他方によって、通信異常の発生を前記回線終端装置に通知することを特徴とするものである。
【００１５】
第５の態様に係る局回線終端装置によれば、第１の通信及び第２の通信の一方で通信異常が発生した場合、制御部は、第１の通信及び第２の通信の他方によって、通信異常の発生を回線終端装置に通知する。これにより、回線終端装置は、通信異常が発生している通信を直ちに停止することができ、その結果、当該通信が他の回線終端装置と局回線終端装置との間の通信の妨げになる事態を回避することができる。
【００１６】
本発明の第６の態様に係る局回線終端装置は、第１〜第５のいずれか一つの態様に係る局回線終端装置において特に、前記第１の通信における伝送レートと、前記第２の通信における伝送レートとは互いに異なることを特徴とするものである。
【００１７】
第６の態様に係る局回線終端装置によれば、第１の通信における伝送レートと第２の通信における伝送レートとは互いに異なる。従って、第１の通信と第２の通信とで使用する波長帯域が異なるため、共通の光伝送路を用いて第１の通信及び第２の通信を行うことができる。その結果、追加の光ファイバを住宅内に引き込む等の工事が不要となるため、ユーザの利便性を向上することが可能となる。
【発明の効果】
【００１８】
本発明によれば、複数の光伝送路を有効活用することによってユーザの利便性を向上することが可能となる。
【図面の簡単な説明】
【００１９】
【図１】本発明の実施の形態に係る光通信システムの全体構成を簡略化して示す図である。
【図２】加入者回線ユニットの構成を簡略化して示すブロック図である。
【図３】ＯＮＵの構成を簡略化して示すブロック図である。
【図４】変形例に係る光通信システムの全体構成を簡略化して示す図である。
【発明を実施するための形態】
【００２０】
以下、本発明の実施の形態について、図面を用いて詳細に説明する。なお、異なる図面において同一の符号を付した要素は、同一又は相応する要素を示すものとする。
【００２１】
図１は、本発明の実施の形態に係るＰＯＮ（Passive Optical Network）を用いた光通信システム１の全体構成を簡略化して示す図である。図１に示すように光通信システム１は、集線装置２、局回線終端装置であるＯＬＴ（Optical Line Terminal）３、光スプリッタ４１，４２、加入者側の回線終端装置である複数のＯＮＵ（Optical Network Unit）５１，５２を備えて構成されている。ＯＮＵ５１，５２は、例えばユーザが使用するパソコン６１，６２にそれぞれ接続されている。
【００２２】
ＯＬＴ３は、加入者回線カード等の複数の加入者回線ユニット６−１，６−２，・・・，６−Ｎと、加入者回線ユニット６−１，６−２，・・・，６−Ｎを制御する制御装置７とを備えている。
【００２３】
加入者回線ユニット６−１は光送受信部１Ａ，１Ｂを有しており、加入者回線ユニット６−２は光送受信部２Ａ，２Ｂを有している。また、ＯＮＵ５１は光送受信部３Ａ，３Ｂを有しており、ＯＮＵ５２は光送受信部４Ａ，４Ｂを有している。例えば加入者回線ユニット６−１に関し、光送受信部１Ａと光送受信部１Ｂとには、同一のＩＰ（Internet Protocol）アドレス及び同一のＭＡＣ（Media Access Control）アドレスを設定することができ、この場合、光送受信部１Ａと光送受信部１Ｂとはロジカルリンク番号によって区別される。なお、光送受信部１Ａと光送受信部１Ｂとには、異なるＩＰアドレスや異なるＭＡＣアドレスを設定してもよく、この場合、光送受信部１Ａと光送受信部１ＢとはＩＰアドレスやＭＡＣアドレスによって区別される。他の光送受信部のペアについても同様である。
【００２４】
光送受信部１Ａは、光ファイバ等の光伝送路８１、光スプリッタ４１、及び光伝送路８２を介して、光送受信部３Ａに接続されている。これにより、ＯＬＴ３の加入者回線ユニット６−１は、光送受信部１Ａ、光伝送路８１、光スプリッタ４１、光伝送路８２、及び光送受信部３Ａを用いて、ＯＮＵ５１との間で相互通信（以下「第１の通信」と称す）を行うことが可能である。
【００２５】
また、光送受信部１Ｂは、光伝送路８４、光スプリッタ４２、及び光伝送路８５を介して、光送受信部３Ｂに接続されている。これにより、ＯＬＴ３の加入者回線ユニット６−１は、光送受信部１Ｂ、光伝送路８４、光スプリッタ４２、光伝送路８５、及び光送受信部３Ｂを用いて、ＯＮＵ５１との間で相互通信（以下「第２の通信」と称す）を行うことが可能である。
【００２６】
光送受信部１Ａ，３Ａを用いた上記第１の通信における伝送レートと、光送受信部１Ｂ，３Ｂを用いた上記第２の通信における伝送レートとは、互いに異なっていてもよいし、同一であってもよい。第１及び第２の通信の伝送レートを互いに異ならせる場合には、例えば、第１の通信に用いる光伝送路８１，８２では１Ｇｂｐｓの伝送レートを使用し、第２の通信に用いる光伝送路８４，８５では１０Ｇｂｐｓの伝送レートを使用する。但し、伝送レートが互いに異なる場合には、各々の通信に使用する波長帯域が互いに異なるため、各光伝送路８１，８２，８４，８５において、１Ｇｂｐｓの伝送レートの通信と１０Ｇｂｐｓの伝送レートの通信とを混在させてもよい。
【００２７】
同様に、光送受信部１Ａは、光伝送路８１、光スプリッタ４１、及び光伝送路８３を介して、光送受信部４Ａに接続されている。また、光送受信部１Ｂは、光伝送路８４、光スプリッタ４２、及び光伝送路８６を介して、光送受信部４Ｂに接続されている。これにより、ＯＬＴ３の加入者回線ユニット６−１は、ＯＮＵ５２との間で相互通信を行うことが可能である。
【００２８】
図２は、加入者回線ユニット６−１の構成を簡略化して示すブロック図である。図２に示すように加入者回線ユニット６−１は、制御部９、スイッチ１０、及び光送受信部１Ａ，１Ｂを有している。スイッチ１０は、集線装置２と光送受信部１Ａ，１Ｂとの間に接続されている。制御部９は、スイッチ１０を制御することにより、ＯＬＴ３とＯＮＵ５１との間の通信を、光送受信部１Ａ及び光伝送路８１を用いた通信である上記第１の通信と、光送受信部１Ｂ及び光伝送路８４を用いた通信である上記第２の通信とに振り分ける。なお、ＯＬＴ３内に実装されている他の加入者回線ユニット６−２〜６−Ｎの構成もこれと同様である。
【００２９】
図３は、ＯＮＵ５１の構成を簡略化して示すブロック図である。図３に示すようにＯＮＵ５１は、光送受信部３Ａ，３Ｂ、スイッチ１１、及び制御部１２を有している。スイッチ１１は、光送受信部３Ａ，３Ｂとパソコン６１との間に接続されている。制御部１２は、ＯＬＴ３から受信した制御情報に基づいてスイッチ１１を制御することにより、ＯＮＵ５１とＯＬＴ３との間の通信を、光送受信部３Ａ及び光伝送路８２を用いた通信である上記第１の通信と、光送受信部３Ｂ及び光伝送路８５を用いた通信である上記第２の通信とに振り分ける。なお、他のＯＮＵ５２の構成もこれと同様である。
【００３０】
以下、加入者回線ユニット６−１とＯＮＵ５１との間の通信を例にとり、制御部９による上記第１の通信と上記第２の通信との振り分け制御について説明する。
【００３１】
制御部９は、加入者回線ユニット６−１とＯＮＵ５１との間の通信における通信状況（以下の例では、エラーレート、レイテンシ、通信データ量、及びプロトコル）に基づいて、上記第１の通信と上記第２の通信との振り分けを制御する。
【００３２】
第１の例として、制御部９は、エラーレートに基づいて振り分け制御を行う。具体的には以下のとおりである。
【００３３】
まず、制御部９は、所定期間内に光送受信部１Ａによって受信したＯＮＵ５１からの送信データに対してＣＲＣ（Cyclic Redundancy Check）等の誤り検出を行うことにより、上記第１の通信の上り方向に関するエラーレートを求める。また、制御部１２は、制御部９から受信した命令に従い、所定期間内に光送受信部３Ａによって受信した加入者回線ユニット６−１からの送信データに対してＣＲＣ等の誤り検出を行うことにより、上記第１の通信の下り方向に関するエラーレートを求め、その値を加入者回線ユニット６−１に送信する。制御部９は、上記第１の通信の上り方向及び下り方向に関する各エラーレートに基づいて、上記第１の通信のエラーレートを求める。例えば、高い方のエラーレートを、上記第１の通信のエラーレートとする。
【００３４】
同様に、制御部９は、所定期間内に光送受信部１Ｂによって受信したＯＮＵ５１からの送信データに対してＣＲＣ等の誤り検出を行うことにより、上記第２の通信の上り方向に関するエラーレートを求める。また、制御部１２は、制御部９からの命令に従い、所定期間内に光送受信部３Ｂによって受信した加入者回線ユニット６−１からの送信データに対してＣＲＣ等の誤り検出を行うことにより、上記第２の通信の下り方向に関するエラーレートを求め、その値を加入者回線ユニット６−１に送信する。制御部９は、上記第２の通信の上り方向及び下り方向に関する各エラーレートに基づいて、上記第２の通信のエラーレートを求める。例えば、高い方のエラーレートを、上記第２の通信のエラーレートとする。
【００３５】
次に、制御部９は、上記第１の通信のエラーレートと上記第２の通信のエラーレートとを比較し、エラーレートが低い方の通信（第１の通信又は第２の通信）を特定する。
【００３６】
そして、制御部９は、高い通信品質が要求される通信（例えば、ＱｏＳ（Quality of Service）のランクが所定値以上に設定されているデータの通信）に関しては、上記第１の通信及び上記第２の通信のうちエラーレートが低い方を用いて通信を行い、高い通信品質が要求されない通信（例えば、ＱｏＳのランクが所定値未満に設定されているデータの通信）に関しては、上記第１の通信及び上記第２の通信のうちエラーレートが高い方を用いて通信を行うよう、振り分け制御を行う。振り分けの結果を示す情報は、加入者回線ユニット６−１からＯＮＵ５１に送信される。
【００３７】
第２の例として、制御部９は、レイテンシに基づいて振り分け制御を行う。具体的には以下のとおりである。
【００３８】
まず、制御部９は、所定の時刻に光送受信部３Ａから光送受信部１Ａに向けて特定のテストデータを送信するよう、ＯＮＵ５１にデータ送信命令を送信する。ＯＮＵ５１は、当該データ送信命令に従って、指定された時刻に当該テストデータを光送受信部３Ａから光送受信部１Ａに向けて送信する。制御部９は、光送受信部１Ａが当該テストデータの受信を完了した時刻を検出し、当該テストデータの送信開始時刻と受信完了時刻との差として、上記第１の通信の上り方向に関するレイテンシを求める。また、制御部９は、所定の時刻に光送受信部１Ａから光送受信部３Ａに向けて特定のテストデータを送信する。制御部１２は、制御部９からの命令に従い、光送受信部３Ａが当該テストデータの受信を完了した時刻を、加入者回線ユニット６−１に送信する。制御部９は、当該テストデータの送信開始時刻と受信完了時刻との差として、上記第１の通信の下り方向に関するレイテンシを求める。制御部９は、上記第１の通信の上り方向及び下り方向に関する各レイテンシに基づいて、上記第１の通信のレイテンシを求める。例えば、大きい方のレイテンシを、上記第１の通信のレイテンシとする。
【００３９】
同様に、制御部９は、所定の時刻に光送受信部３Ｂから光送受信部１Ｂに向けて特定のテストデータを送信するよう、ＯＮＵ５１にデータ送信命令を送信する。ＯＮＵ５１は、当該データ送信命令に従って、指定された時刻に当該テストデータを光送受信部３Ｂから光送受信部１Ｂに向けて送信する。制御部９は、光送受信部１Ｂが当該テストデータの受信を完了した時刻を検出し、当該テストデータの送信開始時刻と受信完了時刻との差として、上記第２の通信の上り方向に関するレイテンシを求める。また、制御部９は、所定の時刻に光送受信部１Ｂから光送受信部３Ｂに向けて特定のテストデータを送信する。制御部１２は、制御部９からの命令に従い、光送受信部３Ｂが当該テストデータの受信を完了した時刻を、加入者回線ユニット６−１に送信する。制御部９は、当該テストデータの送信開始時刻と受信完了時刻との差として、上記第２の通信の下り方向に関するレイテンシを求める。制御部９は、上記第２の通信の上り方向及び下り方向に関する各レイテンシに基づいて、上記第２の通信のレイテンシを求める。例えば、大きい方のレイテンシを、上記第２の通信のレイテンシとする。
【００４０】
次に、制御部９は、上記第１の通信のレイテンシと上記第２の通信のレイテンシとを比較し、レイテンシが小さい方の通信（第１の通信又は第２の通信）を特定する。
【００４１】
そして、制御部９は、リアルタイム性が要求される通信（例えば、リアルタイム配信における映像データや、ＩＰ電話における音声データ）に関しては、上記第１の通信及び上記第２の通信のうちレイテンシが小さい方を用いて通信を行い、リアルタイム性が要求されない通信（例えば、電子メールのデータや、ウェブサイトの閲覧に伴うデータ）に関しては、上記第１の通信及び上記第２の通信のうちレイテンシが大きい方を用いて通信を行うよう、振り分け制御を行う。振り分けの結果を示す情報は、加入者回線ユニット６−１からＯＮＵ５１に送信される。
【００４２】
第３の例として、制御部９は、通信データ量に基づいて振り分け制御を行う。具体的には以下のとおりである。
【００４３】
まず、制御部９は、所定の期間内に光送受信部３Ａと光送受信部１Ａとの間で送受信された通信データ量（例えばパケット数）をカウントすることにより、上記第１の通信の通信データ量を求める。また、制御部９は、所定の期間内に光送受信部３Ｂと光送受信部１Ｂとの間で送受信された通信データ量をカウントすることにより、上記第２の通信の通信データ量を求める。そして、制御部９は、上記第１の通信及び上記第２の通信の一方の通信データ量が極端に大きく、負荷が集中している場合には、負荷の一部を他方に分散させて負荷が均等となるよう、振り分け制御を行う。ここで、上記第１の通信と上記第２の通信とで伝送レートが異なる値に設定されている場合には、伝送レートの差も考慮して振り分け制御を行う。例えば、上記第１の通信における伝送レートが１Ｇｂｐｓに設定されており、上記第２の通信における伝送レートが１０Ｇｂｐｓに設定されている場合には、データ量の少ないテキストデータを上記第１の通信に振り分け、データ量の多い映像データを上記第２の通信に振り分ける。振り分けの結果を示す情報は、加入者回線ユニット６−１からＯＮＵ５１に送信される。
【００４４】
第４の例として、制御部９は、プロトコルに基づいて振り分け制御を行う。具体的には以下のとおりである。
【００４５】
上述した第２の例と同様の手法により、制御部９は、上記第１の通信のレイテンシと、上記第２の通信のレイテンシとを求める。そして、上記第１の通信のレイテンシと上記第２の通信のレイテンシとを比較することにより、レイテンシが小さい方の通信（第１の通信又は第２の通信）を特定する。
【００４６】
そして、制御部９は、例えばＵＤＰ（User Datagram Protocol）のデータに関しては、上記第１の通信及び上記第２の通信のうちレイテンシが小さい方を用いて通信を行い、ＴＣＰ（Transmission Control Protocol）のデータに関しては、上記第１の通信及び上記第２の通信のうちレイテンシが大きい方を用いて通信を行うよう、振り分け制御を行う。振り分けの結果を示す情報は、加入者回線ユニット６−１からＯＮＵ５１に送信される。
【００４７】
なお、上述した第１の例乃至第４の例による振り分け制御は、任意に組み合わせて適用することが可能である。
【００４８】
また、他の例として、光伝送路８２の断線や光送受信部３Ａの故障等に起因して上記第１の通信に通信異常が発生した場合には、制御部９は、定期的なヘルスチェック等によって当該通信異常の発生を検出する。そして、当該通信異常の発生を知らせるための異常通知信号を、通信異常が発生していない上記第２の通信によってＯＮＵ５１に送信する。当該異常通知信号を受信したＯＮＵ５１は、光送受信部３Ａの動作を停止するとともに、それまで上記第１の通信に振り分けていた通信を、上記第２の通信に切り替える。以降、上記第１の通信の通信異常が解消するまでは、加入者回線ユニット６−１とＯＮＵ５１とは、光送受信部１Ｂ，３Ｂを用いた上記第２の通信のみによって通信を行う。
【００４９】
図４は、変形例に係る光通信システム１の全体構成を簡略化して示す図である。図１に示した例では、ＯＮＵ５１は、単一の加入者回線ユニット６−１との間で上記第１の通信及び上記第２の通信を行っていた。これに対して図４に示した例では、ＯＮＵ５１は、加入者回線ユニット６−１との間で第１の通信を行い、他の加入者回線ユニット６−２との間で第２の通信を行う。
【００５０】
つまり、加入者回線ユニット６−１の光送受信部１Ａは、光伝送路８１、光スプリッタ４１、及び光伝送路８２を介して、光送受信部３Ａに接続されている。これにより、ＯＬＴ３の加入者回線ユニット６−１は、光送受信部１Ａ、光伝送路８１、光スプリッタ４１、光伝送路８２、及び光送受信部３Ａを用いて、ＯＮＵ５１との間で相互通信（第１の通信）を行う。
【００５１】
また、加入者回線ユニット６−２の光送受信部２Ｂは、光伝送路８７、光スプリッタ４２、及び光伝送路８５を介して、光送受信部３Ｂに接続されている。これにより、ＯＬＴ３の加入者回線ユニット６−２は、光送受信部２Ｂ、光伝送路８７、光スプリッタ４２、光伝送路８５、及び光送受信部３Ｂを用いて、ＯＮＵ５１との間で相互通信（第２の通信）を行う。
【００５２】
このように本実施の形態に係るＯＬＴ３によれば、制御部９は、ＯＬＴ３とＯＮＵ５１との間の通信を、光送受信部１Ａ及び光伝送路８１，８２（第１の光伝送路）を用いた通信である第１の通信と、光送受信部１Ｂ及び光伝送路８４，８５（第２の光伝送路）を用いた通信である第２の通信とに振り分ける。つまり、第１の光伝送路及び第２の光伝送路は、一方の光伝送路に通信異常が発生した場合の単なるバックアップ用途に使用されるのみならず、ＯＬＴ３とＯＮＵ５１との間の通信が両者に振り分けられることによって、異常が発生していない正常時においても両者がともに使用される。その結果、負荷分散等によってＯＬＴ３とＯＮＵ５１との間の通信を最適な条件で行うことができるため、ユーザの利便性を向上することが可能となる。
【００５３】
また、本実施の形態に係るＯＬＴ３によれば、制御部９は、ＯＬＴ３とＯＮＵ５１との間の通信における通信状況に基づいて、上記第１の通信と上記第２の通信との振り分けを制御する。従って、ＯＬＴ３とＯＮＵ５１との間の通信を、通信状況に応じて最適な条件で行うことが可能となる。
【００５４】
また、本実施の形態に係るＯＬＴ３によれば、制御部９は、ＯＬＴ３とＯＮＵ５１との通信における、エラーレート、レイテンシ、通信データ量、及びプロトコルの少なくとも一つに基づいて、上記第１の通信と上記第２の通信との振り分けを制御する。従って例えば、上記第１の通信と上記第２の通信とでエラーレートが異なる場合には、高い品質が求められる通信をエラーレートの低い通信に振り分け、高い品質が求められない通信をエラーレートの高い通信に振り分けることにより、ＯＬＴ３とＯＮＵ５１との間の通信を最適な条件で行うことが可能となる。また例えば、上記第１の通信と上記第２の通信とでレイテンシが異なる場合には、リアルタイム性が求められる通信をレイテンシの小さい通信に振り分け、リアルタイム性が求められない通信をレイテンシの大きい通信に振り分けることにより、ＯＬＴ３とＯＮＵ５１との間の通信を最適な条件で行うことが可能となる。また例えば、上記第１の通信及び上記第２の通信の一方の通信データ量が極端に大きく、負荷が集中している場合には、負荷の一部を他方に振り分けることにより、ＯＬＴ３とＯＮＵ５１との間の通信を最適な条件で行うことが可能となる。また例えば、上記第１の通信と上記第２の通信とでレイテンシが異なる場合には、ＵＤＰの通信をレイテンシの小さい通信に振り分け、ＴＣＰの通信をレイテンシの大きい通信に振り分けることにより、ＯＬＴ３とＯＮＵ５１との間の通信を最適な条件で行うことが可能となる。
【００５５】
また、図４に示した変形例によれば、光伝送路８１，８２を含む第１の光伝送路は、加入者回線ユニット６−１が有する光送受信部１Ａに接続されており、光伝送路８７，８５を含む第２の光伝送路は、加入者回線ユニット６−２が有する光送受信部２Ｂに接続されている。従って、加入者回線ユニット６−１が故障した場合や加入者回線ユニット６−２を交換する場合には、加入者回線ユニット６−２によってＯＬＴ３とＯＮＵ５１との通信を継続することができる。また、加入者回線ユニット６−２が故障した場合や加入者回線ユニット６−２を交換する場合には、加入者回線ユニット６−１によってＯＬＴ３とＯＮＵ５１との通信を継続することができる。
【００５６】
また、本実施の形態に係るＯＬＴ３によれば、上記第１の通信及び上記第２の通信の一方で通信異常が発生した場合、制御部９は、上記第１の通信及び上記第２の通信の他方によって、通信異常の発生をＯＮＵ５１に通知する。これにより、ＯＮＵ５１は、通信異常が発生している通信を直ちに停止することができ、その結果、当該通信が他のＯＮＵ５２とＯＬＴ３との間の通信の妨げになる事態を回避することができる。
【００５７】
また、本実施の形態に係るＯＬＴ３によれば、上記第１の通信における伝送レートと上記第２の通信における伝送レートとを、互いに異ならせることができる。従ってこの場合には、上記第１の通信と上記第２の通信とで使用する波長帯域が異なるため、共通の光伝送路を用いて上記第１の通信及び上記第２の通信を行うことができる。その結果、追加の光ファイバを住宅内に引き込む等の工事が不要となるため、ユーザの利便性を向上することが可能となる。
【００５８】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００５９】
１  光通信システム
３  ＯＬＴ
５１，５２  ＯＮＵ
８１〜８７  光伝送路
６−１〜６−Ｎ  加入者回線ユニット
９  制御部
１Ａ，１Ｂ，３Ａ，３Ｂ  光送受信部
【図１】
2012165322.tif 000003
【図２】
2012165322.tif 000004
【図３】
2012165322.tif 000005
【図４】
2012165322.tif 000006